(57)【要約】【課題】暗い場所で、錠の鍵穴に合鍵を入れる操作や、非常錠の非常解錠装置を解錠操作する事は非常に困難である。薄明りが有っても難しい。それは暗いがゆえに鍵穴が見えず、また非常解錠装置の構造が見えない為である。しかし、電気を使用しない一般的な錠には鍵穴や非常解錠装置を照らす仕組みの有る錠は見られない。電気や電池を使って動かすテンキーロックシステム等の中の一部にはシステムの操作部の蓋を開けるとシステムが起動すると同時に文字盤を照らす照明が点灯するものが有るが、多くは照明を持っていない。鍵穴や非常解錠装置を照らす簡単な照明灯を作る事が課題である。【解決手段】鍵穴や非常解錠装置の近くに点灯ボタンを設け、電池とタイマーを組み込んだ照明灯を設け、点灯ボタンを押すと操作に必要な時間点灯し、時間が経過すると自動的に消灯する事で電池の消耗を少なくした鍵穴照明装置を提供する。【選択図】　図１
2004044097.tif 000002
【特許請求の範囲】
【請求項１】
錠のシリンダー側化粧プレート（１）に、シリンダーの鍵穴（３）周囲を照らす照明灯（４）と照明灯を点灯させる点灯ボタン（２）とコネクタ（７）付きコード（６）を有し、内側化粧プレート（１０）に、電池を入れる電池ケース（１１）とタイマー（１８）とシリンダー側化粧プレートのコネクタと接続する為のコネクタ（８）付コード（９）を有する装置で、点灯ボタンを押すとタイマーによって数秒から数十秒間照明灯が点灯し、暗い場所で鍵穴に鍵を差し込み易くする事を特徴とする鍵穴照明装置。
【請求項２】
点灯ボタンを押すとシリンダーの周囲に設けた発光ダイオード（２４）（２５）が点灯して鍵穴の位置を知らせ、鍵穴に鍵を差し込み易くした、照明灯を発光ダイオードに代えた請求項１記載の鍵穴照明装置。
【請求項３】
非常解錠装置の付いた鍵の非常解錠装置側に非常解錠装置（２８）を照らす照明灯（３０）と、照明灯を点灯させる為の点灯ボタン（２９）とコネクタ（４１）付のコード（４２）を有し、錠ケース（３８）に、電池を入れる電池ケース（３６）とタイマー（３３）と、非常解錠装置側のコネクタと接続する為のコネクタ（４０）付きコード（３９）を有する非常錠で、点灯ボタンを押すとタイマーによって数分間照明灯が点灯して暗い場所での非常解錠操作をし易くした、照明の対象を鍵穴から非常解錠装置に代えた照明装置。
【請求項４】
扉のシリンダー側に取り付ける化粧プレート（４３）に、錠の鍵穴周囲を照らす照明灯（４５）と、照明灯を点灯させる為の点灯ボタン（４４）と、コネクタ（４９）付きコードを有し、扉の内部側に取り付ける化粧プレート（４７）に、電池を入れる電池ケース（４８）とタイマーと、シリンダー側化粧プレートのコネクタと接続する為のコネクタ（５０）付きコードを有する錠の鍵穴照明装置で、錠の化粧プレートと分離して錠の鍵穴近くに取り付けて使用する事で、既存の錠にも使用できる請求項１記載の鍵穴照明装置。
【請求項５】
照明灯（６６）と点灯ボタン（６５）の付いた箱の中にタイマー（６７）と電池ケース（６９）を収納した装置で、錠の鍵穴近くに取り付けて使用し、点灯ボタンを押すとタイマーによって数秒から数十秒間照明灯が点灯して鍵穴を照らす、シリンダー側と内部側の化粧プレートを一体とした構造の請求項４記載の鍵穴照明装置。
【請求項６】
電池を持たず、外部からの電源で照明灯を点灯させる請求項１記載の錠穴照明装置。
【発明の詳細な説明】
【０００１】
【発明の属する技術分野】
錠の鍵穴や非常解錠装置周辺を照らし、暗い場所での操作をし易くする照明装置に関する。
【０００２】
【従来の技術】
従来の錠で、鍵穴を示す為に鍵穴周囲に蛍光剤を埋め込んだものがある。しかしそれでも暗く、電池を使って明るく照明するものは見られない。非常解錠装置も電池を使って照明するものは見られない。電気や電池を使用せずに機能する一般的な鍵で、電池を使って鍵穴や非常解錠装置を照明するものは見られない。
１００ボルト電源や電池を使ってシステムを組んで機能させるテンキーロックシステム等の一部には、システムの中のテンキー操作部の蓋を開けると、システムが起動すると同時に文字盤を照らすものが有る。しかし、これらのものも電気や電池を使用する目的はシステムを動かす為であり、操作部を照らす事が主目的ではない。システムを持たない一般的な錠では鍵穴や非常解錠装置を照明する為の電池と照明灯を持ったものは見られない。
【０００３】
【発明が解決しようとする課題】
暗い場所で錠の鍵穴に合鍵を差し込む事はなかなか入らず、気になるものである。薄明かりのある場所でも、錠が確認できても鍵穴は見えにくいものである。非常解錠装置でも同様である。非常解錠操作は非常時に慣れない操作を行わなければならず、薄明かりがあっても操作に不安がある。非常解錠の操作方法も錠種毎に違い、すべて知っておくわけにはいかない。
非常口の非常灯は避難口や避難ルートを示す誘導灯であり、非常解錠装置を照らすものではない。その為に非常解錠操作は薄暗い場所で行う事が多い。錠種によっては暗い場所で操作しにくいものも有り、説明の文字も暗くて読めない、一般の人には見えないとどのように操作して良いかわからない。電気や電池を使ってシステムを組んで機能させる錠以外の、照明を持たない一般的な錠の鍵穴や非常解錠装置を照らして、暗い場所での操作をし易くする事が課題である。
【０００４】
【課題を解決するための手段】
暗い場所で鍵穴や非常解錠装置を照らして操作をし易くする。その為に鍵穴や非常解錠装置を照らす為の照明灯を設けた。照明灯の電源は配線工事を不要とする為に電池とした。電池の消耗を少なくする為に鍵穴や非常解錠装置の周囲に点灯ボタンを設け、点灯ボタンを押すと照明灯が点灯して、設けてあるタイマーによって一定時間後に照明灯が自動的に消えるようにした。鍵穴に合鍵を差し込む為に要する時間は１０秒から２０秒もあれば充分である。非常解錠操作に要する時間も２分から５分も有れば充分である。
毎日１回鍵穴を照らすと１年間で１２０分程度であり、毎月２回非常解錠操作のテストを行ったとすると１年間で１２０分程度である。この程度であれば電池で充分対応できる。電池は簡単に交換できるようにすれば良い。照明装置に使用する部品類をすべて市販の普及品で賄う事で安価に作る事が可能である。
【０００５】
まっ暗な中で、扉の錠に付いている点灯ボタンを押す操作は難しくないかという問題がある。合鍵を持っている者であればその扉の錠は使い慣れた事が多く、扉の前に立てば錠がどのあたりにあるかわかっている。後は手で探れば錠がすぐわかり、点灯ボタンを押す事ができる。扉が暗くてわからない場所であれば足元が不安で歩く事も難しいであろう。その為にはそれ以前に玄関まで歩く為の照明が必要である。
非常口ドアの非常解錠装置は近くにある誘導灯によって確認できるが、薄暗い為に構造が見えず操作法がよくわからない事が多い。本発明の鍵穴照明装置は一般的な錠に取り付けられる事、既存の錠に取り付けられる事、配線が不要で簡単に取り付けられることを条件に、点灯ボタンと照明灯とタイマーと電池を使い、鍵穴と非常解錠装置の必要な照明を実現させたものである。
【０００６】
【発明の実施の形態】
図面に基づいて説明する。図は扉の断面を黒く塗りつぶしてある。図１図２が
鍵穴を照らす請求項１記載の照明装置である。シリンダー側化粧プレート（１）に設けた点灯ボタン（２）を押す事で、内部側化粧プレート（１０）に設けた電池（１７）とタイマー（１８）により、シリンダー側化粧プレートに設けた照明灯が数十秒点灯する。点灯時間は１０秒から２０秒ほどで良く、その後は自動的に消灯する事で電池の消耗を抑える。
図ではサムターン（１２）側の化粧プレートに電池（１７）とタイマー（１８）を組み込むように示しているが、扉の両側にシリンダーの有る錠や、扉面に電池やタイマーを設けたくない場合は、変形例として請求項３記載のように錠ケースに電池やタイマーを設けても良い。
【０００７】
図４は請求項２記載の装置の説明である。光源を発光ダイオードとする事で、鍵穴を照らすのでは無く位置を示すものである。電力の消費量が少ない為にバッテリーの消耗を少なくする事ができる。鍵穴の上下（２４）に発光ダイオードを設けても良く、鍵穴の周囲に数個の発光ダイオード（２５）を設けて鍵穴周囲をリング状に示しても良い。
【０００８】
図５が請求項３記載の非常解錠装置を照らす照明装置である。非常解錠装置は多様な形式のものがある。図は非常解錠装置（２８）の枠に点灯ボタン（２９）を設け、非常解錠装置の枠の中に照明灯（３０）を設けているが、変形例として照明灯を非常解錠装置の外に設け、外から非常解錠装置を照らしても良い。
【０００９】
図６と図７が錠と分離して取り付ける請求項４記載の鍵穴照明装置である。図のように錠に化粧プレートが無く化粧リングの時や、既存の錠に取り付ける場合に都合が良い照明装置である。この鍵穴照明装置は鍵穴だけでなく、非常解錠装置を照らす為に使っても良い。またカードロックシステムのカードリーダーやテンキーロックシステムのテンキー操作部に、暗い場所で使う時の照明灯が無い場合に必要な照明装置として使用できる。カードロックやテンキーロックでも電気や電池を使用していないものがあり、それらにも鍵穴を照らす事と同様に操作部を照らす為に使用する事ができる。その為に錠と分離して取り付けるこの鍵穴照明装置が一番汎用性を有し、産業的に見て効果が有る。
図８図９は厚さの薄い扉に取り付ける鍵穴照明装置で、請求項４記載の変形例である。電池ケースは固定せず、収納し易い場所に置けば良い。
図１０は請求項５記載の鍵穴照明装置を説明する図である。開き扉のシリンダー側の表面に取り付け、鍵穴を照らすものである。
図１１が引き違い扉のシリンダー側カマチに取り付け、鍵穴を照らす請求項５記載の変形例である。図１０、図１１共に扉のシリンダー側表面にビス止めするもので取り付け易い反面イタズラされる欠点がある。そのためこの鍵穴照明装置は屋内や敷地内のイタズラされにくい所で使用すると良い。取り付けは粘着剤を使って粘着しても良い。
図１２は請求項５記載の鍵穴照明装置を、錠近くの枠に取り付けて鍵穴を照らす変形使用例である。扉に取り付けるより枠に取り付けた方が取り付け易い時や使い易い時は枠側に取り付ければ良い。
請求項５記載の鍵穴照明装置の利点は、装置を一つの箱の中に点灯ボタン（６５）、照明灯（６６）、タイマー（６７）、電池ケース（６９）をまとめて設けてある為に、コンパクトで製作し易く、取り付け易い。あらゆる鍵穴や鍵穴に代わるものに対しても照明用として使用できるので汎用性が大きい。
請求項６記載の鍵穴照明装置は建物の非常電源や１００ボルト電源を使って照明するもので、変形例として請求項３、４、５に対して外部電源を使って照明するものを作る事もできる。
【００１０】
【発明の効果】
電気や電池を用いない錠では、暗い場所で操作する時に操作し易いように鍵穴や非常解錠装置を照らすものが見られない。
電気や電池を用いて機能させる多くの錠でも暗い場所で操作する時の為の照明装置を持った錠はほとんど見られない。
暗い場所や薄暗い場所で、鍵穴に合鍵を差し込む事や非常解錠装置を非常解錠させる事は難しい。本発明の照明装置を取り付ける事で、照明が必要な時に照明灯を必要な時間点灯させる事が可能となり、従来の操作がしにくく困った問題を解決できる。
もしイタズラされて点灯ボタンを押されても、照明灯が点灯している間の電池の消耗があるだけで他の実害は無く、防犯上のマイナス面は無く、安全性の問題も無く、使用にあたり効果は大きい。
【図面の簡単な説明】
【図１】請求項１記載の鍵穴照明装置を化粧プレートに設けた錠の斜視図である。
【図２】図１の錠を扉に取り付けて、ＡＡ断面で扉を切断した状態を説明する図である。
【図３】照明灯、点灯スイッチ、タイマー、電池の組み合わせを示す図である。
【図４】Ａ．請求項２記載の発光ダイオードを使った鍵穴照明装置の、発光ダイオードを設けた化粧プレートを説明する斜視図である。Ｂ．図４のＢＢ断面である。
【図５】請求項３記載の非常解錠装置を照らす照明装置の斜視図である。
【図６】請求項４記載の、錠と分離して錠の近く取り付けて使用する鍵穴照明装置の斜視図である。
【図７】図６の鍵穴照明装置を扉に取り付け、ＣＣ断面で扉を切断した状態を説明する図である。
【図８】請求項４記載の変形例で、扉の厚さが薄い扉に使用する鍵穴照明装置である。
【図９】図８の鍵穴照明装置を薄い扉に取り付け、ＤＤ断面で扉を切断した状態を説明する図である。
【図１０】照明灯、点灯ボタン、タイマー、電池ケースを一つの箱にまとめた請求項５記載の鍵穴照明装置を扉に取り付けた斜視図である。
【図１１】請求項５記載の変形使用例で引違い扉に取り付けた斜視図である。
【図１２】請求項５記載の変形使用例で、枠側に取り付けた斜視図である。
【符号の説明】
１．　シリンダー側化粧プレート
２．　点灯ボタン
３．　鍵穴
４．　照明灯
５．　取り付けバー
６．　コード
７．　コネクタ
８．　コネクタ
９．　コード
１０．　内側化粧プレート
１１．　電池ケース
１２．　サムターン
１３．　内側取手
１４．　錠ケース
１５．　取り付けバー
１６．　外側取手
１７．　電池
１８．　タイマー
１９．　取り付けネジ
２０．　扉
２１．　シリンダー側化粧プレート
２２．　取り付けバー
２３．　コード
２４．　発光ダイオード
２５．　発光ダイオード
２６．　透明プラスチックリング
２７．　シリンダーの納まる位置
２８．　非常解錠装置
２９．　点灯ボタン
３０．　照明灯
３１．　非常解錠レバー
３２．　非常解錠レバー連結軸
３３．　タイマー
３４．　電池収納部
３５．　電池
３６．　電池ケース
３７．　デットボルト
３８．　錠ケース
３９．　コード
４０．　コネクタ
４１．　コネクタ
４２．　コード
４３．　化粧プレート
４４．　点灯ボタン
４５．　照明灯
４６．　取り付けバー
４７．　内部側化粧プレート
４８．　電池ケース
４９．　コネクタ
５０．　コネクタ
５１．　取り付けネジ
５２．　扉
５３．　鍵穴
５４．　錠ケース
５５．　サムターン
５６．　化粧プレート
５７．　点灯ボタン
５８．　照明灯
５９．　取り付けネジ
６０．　ナット
６１．　電池ケース
６２．　鍵穴
６３．　扉
６４．　扉鍵穴照明装置
６５．　点灯ボタン
６６．　照明灯
６７．　タイマー
６８．　電池
６９．　電池ケース
７０．　鍵穴
７１．　扉
７２．　鍵穴照明装置
７３．　点灯ボタン
７４．　照明灯
７５．　タイマー
７６．　電池
７７．　電池ケース
７８．　鍵穴
７９．　引違い扉のカマチ
８０．　鍵穴照明装置
８１．　点灯ボタン
８２．　照明灯
８３．　電池ケース
８４．　鍵穴
８５．　枠
８６．　扉
【図１】
2004044097.tif 000003
【図２】
2004044097.tif 000004
【図３】
2004044097.tif 000005
【図４】
2004044097.tif 000006
【図５】
2004044097.tif 000007
【図６】
2004044097.tif 000008
【図７】
2004044097.tif 000009
【図８】
2004044097.tif 000010
【図９】
2004044097.tif 000011
【図１０】
2004044097.tif 000012
【図１１】
2004044097.tif 000013
【図１２】
2004044097.tif 000014